(57)【要約】【課題】壁を隔てた部屋間、或いはフロアの異なった場所に設置された情報機器の間で、通信ケーブルを敷設せずに、情報ネットワークを簡単に構築することができる空間光伝送装置を提供する。【解決手段】電力線側空間光伝送ユニットＳ２と端末側空間光伝送ユニットＳ１を１対とした複数対の空間光伝送ユニットが、異なった部屋などの空間光の届かない複数の場所に設置される。各対の端末側空間光伝送ユニットＳ１は、その部屋に構築された有線ＬＡＮ或いは情報端末１８に接続され、電力線側空間光伝送ユニットＳ２は、その部屋に敷設されている既設の電力線４５に電力線結合部４０を介して接続される。電力線側空間光伝送ユニットＳ２と端末側空間光伝送ユニットＳ１は、相互にそれらの受光部、投光部が形成する光軸を一致させる状態で対向して設置され、空間光を用いた信号の伝送を行なう。【選択図】図１
2004207879.tif 000002
【特許請求の範囲】
【請求項１】
有線ＬＡＮまたは情報端末に接続された端末側空間光伝送ユニットと、電力線に接続された電力線側空間光伝送ユニットとの間で、空間に放射した光により信号を伝送する空間光伝送装置であって、
該端末側空間光伝送ユニットには、有線ＬＡＮまたは情報端末から送られたデータ信号を復号化処理すると共に符号化処理する信号処理部と、信号処理部から送られた信号を光に重畳させた光信号を電力線側空間光伝送ユニットの受光部に向けて放射する投光部と、該電力線側空間光伝送ユニットの投光部から投光された光信号を受光する受光部と、該受光部で受光された光信号の受光データを復号化処理すると共に符号化処理する信号処理部と、が設けられ、
該電力線側空間光伝送ユニットには、前記端末側空間光伝送ユニットから投光された光信号を受光する受光部と、受光部で受光された光信号の受光データを復号化処理すると共に符号化処理する信号処理部と、信号処理部からの信号を入力し変調する変調部と、変調部で変調された信号を送信する送信回路と、該送信回路から出力された信号を電力線に送出する電力線結合部と、電力線を通して送られた信号を該電力線結合部より受信する受信回路と、該受信回路から出力された信号を復調する復調部を含む電力線信号処理部と、該電力線信号処理部から送られた信号を復号化処理すると共に符号化処理する信号処理部と、該信号処理部からの信号を光に重畳させた光信号を端末側空間光伝送ユニットの受光部に向けて投光する投光部と、が設けられ、
前記電力線側空間光伝送ユニットと前記端末側空間光伝送ユニットを１対とした複数対の空間光伝送ユニット間で前記電力線と空間光を伝送媒体として信号の伝送を行なうことを特徴とする空間光伝送装置。
【請求項２】
前記電力線側空間光伝送ユニットと前記端末側空間光伝送ユニットの信号処理部及び電力線信号処理部に、伝送データの誤りを検出して訂正する誤り訂正処理部が設けられたことを特徴とする請求項1記載の空間光伝送装置。
【発明の詳細な説明】
【０００１】
【発明の属する技術分野】
本発明は、空間に放射した光によりデータを伝送するＬＡＮ（local area network）等に好適な空間光伝送装置に関し、特に、電力線通信を併用して空間光伝送装置が出射する光信号が届かない壁などを隔てた部屋間でも、特別な通信ケーブルを敷設せずに、データ信号の伝送が可能な空間光伝送装置に関する。
【０００２】
【従来の技術】
近年、パーソナルコンピュータなどの情報機器の普及及び情報処理能力の向上により、大量の文書データや画像データを高速で伝送するニーズが高まっており、オフィスビルや工場、或いは一般家庭などにおいて、高速ＬＡＮなどの情報ネットワークの構築が拡大しつつある。
【０００３】
情報ネットワークの構築には、通常、通信ケーブルの敷設が不可欠であるため、ネットワークエリアが広い場合には、通信ケーブルの敷設にかなりのコストがかかる問題があった。そこで、通信ケーブルを敷設せずに、オフィスや工場内でＬＡＮを構築可能な通信システムとして、空間に放射された光によりデータを伝送する空間光伝送装置を使用して各情報端末を結び、通信ケーブルの使用を最小限にしてＬＡＮ等を構築する技術が、下記特許文献１などで提案されている。
【０００４】
【特許文献１】
特開平６−１３２９０２号公報
【０００５】
この種のＬＡＮ等に使用される空間光伝送装置は、有線ＬＡＮに接続された２つの光伝送ユニットが対向して設置され、通常、空間光伝送による半二重通信を実施する。また、この種の空間光伝送装置は、空間に光信号を放射する無線通信を行なって信号を伝送する方式であるが、通常、光伝送ユニットの投光部は通信相手の受光部に向けて光信号を送信しているため、電波通信のように周囲に電波を放射せずに、電磁波干渉の問題を生じず、また無線電波の盗聴による情報の漏洩を防止する点では、有利な通信装置とされている。
【０００６】
【発明が解決しようとする課題】
しかし、空間光伝送装置によるＬＡＮ等の情報ネットワークの構築は、光信号が透過しない遮蔽物が光軸上にあった場合、つまり、部屋と部屋の間の壁やフロアの異なる部屋間の床、天井、壁等によって光信号が遮断されるため、そのような条件の下に設置された情報機器間では、空間光伝送装置によるネットワークの構築が不可能となる問題があった。
【０００７】
本発明は、上記の点に鑑みてなされたもので、壁を隔てた部屋間、或いはフロアの異なった場所に設置された情報機器の間で、通信ケーブルを敷設せずに、情報ネットワークを簡単に構築することができる空間光伝送装置を提供することを目的とする。
【０００８】
【課題を解決するための手段】
上記目的を達成するために、本発明の空間光伝送装置は、有線ＬＡＮまたは情報端末に接続された端末側空間光伝送ユニットと、電力線に接続された電力線側空間光伝送ユニットとの間で、空間に放射した光により信号を伝送する空間光伝送装置であって、
該端末側空間光伝送ユニットには、有線ＬＡＮまたは情報端末から送られたデータ信号を復号化処理すると共に符号化処理する信号処理部と、信号処理部から送られた信号を光に重畳させた光信号を電力線側空間光伝送ユニットの受光部に向けて放射する投光部と、該電力線側空間光伝送ユニットの投光部から投光された光信号を受光する受光部と、該受光部で受光された光信号の受光データを復号化処理すると共に符号化処理する信号処理部と、が設けられ、
該電力線側空間光伝送ユニットには、前記端末側空間光伝送ユニットから投光された光信号を受光する受光部と、受光部で受光された光信号の受光データを復号化処理すると共に符号化処理する信号処理部と、信号処理部からの信号を入力し変調する変調部と、変調部で変調された信号を送信する送信回路と、該送信回路から出力された信号を電力線に送出する電力線結合部と、電力線を通して送られた信号を該電力線結合部より受信する受信回路と、該受信回路から出力された信号を復調する復調部を含む電力線信号処理部と、該電力線信号処理部から送られた信号を復号化処理すると共に符号化処理する信号処理部と、該信号処理部からの信号を光に重畳させた光信号を端末側空間光伝送ユニットの受光部に向けて投光する投光部と、が設けられ、
前記電力線側空間光伝送ユニットと前記端末側空間光伝送ユニットを１対とした複数対の空間光伝送ユニット間で前記電力線と空間光を伝送媒体として信号の伝送を行なうことを特徴とする。
【０００９】
ここで、前記電力線側空間光伝送ユニットと前記端末側空間光伝送ユニットの信号処理部及び電力線信号処理部に、伝送データの誤りを検出して訂正する誤り訂正処理部を設けることができ、この場合には伝送データの誤りの訂正を行なうことができる。
【００１０】
【作用】
このような構成される空間光伝送装置は、電力線側空間光伝送ユニットと端末側空間光伝送ユニットを１対とした複数対の空間光伝送ユニットが、異なった部屋などの空間光の届かない複数の場所に設置され、各対の端末側空間光伝送ユニットは、その部屋に構築された有線ＬＡＮ或いは情報端末に接続され、電力線側空間光伝送ユニットは、その部屋に敷設されている既設の電力線に電力線結合部を介して接続される。そして、電力線側空間光伝送ユニットと端末側空間光伝送ユニットは、相互にそれらの受光部、投光部が形成する光軸を一致させる状態で対向して設置される。
【００１１】
例えば、ある部屋に設置された情報端末から信号が送信された場合、その信号は端末側空間光伝送ユニットから光信号に重畳してその部屋の電力線側空間光伝送ユニットに伝送される。電力線側空間光伝送ユニットでは、端末側空間光伝送ユニットからその信号を重畳した光信号を受信すると、その信号を復号化し符号化した後変調し、電力線結合部を介して電力線に送出する。
【００１２】
一方、違う部屋などに設置された情報端末でこれらの信号を受信する場合、その部屋に電力線を通して信号が電力線結合部を介してその部屋の電力線側空間光伝送ユニットに取り込まれる。このとき、電力線側空間光伝送ユニットは、その信号を受信すると、復調した後、復号化処理と符号化処理を行ない、その信号を投光駆動部で光信号に重畳させ、空間光として端末側空間光伝送ユニットに向けて送信する。端末側空間光伝送ユニットでは、その空間光を受光部で受信すると、その光信号からデータ信号を取り出し、復号化すると共に符号化処理し、情報端末に送出する。
【００１３】
このように、空間光伝送の光信号が遮断されるような異なる部屋などに設置された情報端末間、或いはそれらの部屋に構築された複数の有線ＬＡＮ間を、電力線通信を併用した空間光伝送により、信号伝送するため、空間光伝送の利点を生かしながら、特別の通信ケーブルの敷設工事をすることなく、既設の電力線を使用して、相違した部屋間などの離れた情報端末間でデータ信号の伝送を簡単に行なうことができる。
【００１４】
【発明の実施の形態】
以下、本発明の実施の形態を図面に基づいて説明する。図１は空間光伝送装置の概略構成図を示し、図２はそこで使用される端末側空間光伝送ユニットＳ１のブロック図を示し、図３は電力線側空間光伝送ユニットＳ２のブロック図を示している。本空間光伝送装置は、空間光伝送と電力線通信を併用して、例えば複数の部屋で構築された複数の有線ＬＡＮ１，２間で、または複数のパーソナルコンピュータなどの情報端末間で、最少の通信ケーブルの敷設のみで、簡単にデータ信号の伝送を行ない得るように構成される。
【００１５】
すなわち、図１に示すように、例えばフロアが異なる２つの部屋において、各々独立した有線ＬＡＮ１，２が、複数の情報端末１８、１８をＨＵＢ１９にネットワーク接続してＬＡＮを構築している場合、各々の有線ＬＡＮ１，２のＨＵＢ１９に、本空間光伝送装置の端末側空間光伝送ユニットＳ１を各々接続し、電力線４５には電力線側空間光伝送ユニットＳ２を接続すると共に、各部屋の端末側空間光伝送ユニットＳ１と電力線側空間光伝送ユニットＳ２を、相互に投光側と受光側の光軸が一致して空間光による光信号の伝送が可能なように、対向して設置する。
【００１６】
端末側空間光伝送ユニットＳ１は、基本的には図２に示すように、有線ＬＡＮ１，２のＨＵＢ１９からインターフェイス１６を介して送信信号を取り込み、ベースバンド方式によりその信号を光信号に重畳させ、投光部１５から空間光として投光し、一方、受光部１で受光された受光信号は復号化及び符号化して信号を取り出し、インターフェイス１６を介して有線ＬＡＮ１，２に送出するように構成される。
【００１７】
フォトダイオード等からなる受光部１は、レンズなどの光学系を通して電力線側空間光伝送ユニットＳ２から投光された空間光を受光し、そこに接続される受光回路２から受光信号を出力する。３は受光信号を増幅する増幅器、４は増幅された受光信号を波形整形する波形整形回路である。６は復号化処理部であり、波形整形された受信信号（マンチェスタ符号化信号）からクロック信号とデータ信号を分離して取り出す。７は符号化処理部で、復号化処理部６から送られたクロック信号とデータ信号からＬＡＮ用の符号化データを作り、出力制御部９に送出する。また、この復号化処理部６、符号化処理部７の信号処理部では、伝送データの誤りを検出して訂正する誤り訂正処理部を設けることが可能であり、誤り訂正処理部を設けることにより、伝送データの誤りの訂正を行なう。出力制御部９の出力側はインターフェイス１６に接続され、出力制御部９はデータ信号のインターフェイス１６への出力を制御する。
【００１８】
更に、１１はインターフェイス１６に接続された復号化処理部であり、インターフェイス１６から取り込まれたＬＡＮ用のデータを復号化し、クロック信号とデータ信号に分離して出力する。１２は符号化処理部で、復号化処理部１１から送られたクロック信号とデータ信号から光通信用の符号化データを作る。具体的には、復号化処理部１１から送られるデジタル信号の１、０に対応した符号化信号、つまり一つの符号の中間点で電圧反転部を設けるように符号化されたマンチェスタ符号化信号を生成する。１３は投光駆動部であり、符号化処理部１２から送られた符号化信号に基づき投光部１５を駆動する。投光部１５は発光ダイオード等からなり、電力線側空間光伝送ユニットＳ２の受光器に向けて光信号を放射する。
【００１９】
一方、電力線側空間光伝送ユニットＳ２は、基本的には、図１、図３に示すように、端末側空間光伝送ユニットＳ１との間で空間光伝送によるデータ信号の送受信を実施すると共に、電力線４５を介して他の有線ＬＡＮ１または有線ＬＡＮ２などから送られたデータ信号を受信回路４１に取り込み、それを復調部４２に送り復調する。そして、インターフェイス３６を介してそのデータ信号を復号化処理部３１に入力して復号化処理すると共に、符号化処理部３２で符号化処理し、その信号を光に重畳させ投光部３５から空間光として端末側空間光伝送ユニットＳ１に向けて投光する。また、受光部２１で受光された受光信号は復号化及び符号化してデータ信号を取り出し、インターフェイス３６を介してデータ信号を変調部３７に送出して変調する。そして、変調した信号を送信回路３８から増幅器３９に送り、電力線結合部４０を介して電力線４５に信号を送出するように構成される。
【００２０】
すなわち、電力線側空間光伝送ユニットＳ２は、図３に示すように、フォトダイオード等からなる受光部２１が、端末側空間光伝送ユニットＳ１から投光された空間光を受光し、そこに接続される受光回路２２から受光信号を出力する。２３はその受光回路２２から出力される受光信号を増幅する増幅器、２４は増幅された受光信号を波形整形する波形整形回路である。２６は復号化処理部であり、波形整形された受信信号（マンチェスタ符号化信号）からクロック信号とデータ信号を分離して取り出す。２７は符号化処理部で、復号化処理部２６から送られたクロック信号とデータ信号からＬＡＮ用の符号化データを作り、出力制御部２９に送出する。また、復号化処理部２６、符号化処理部２７には、伝送データの誤りを検出して訂正する誤り訂正処理部を設けることが可能であり、誤り訂正処理部を設けた場合には、伝送データの誤りの訂正を行なう。出力制御部２９の出力側はインターフェイス３６に接続され、出力制御部２９はデータ信号のインターフェイス３６への出力を制御する。
【００２１】
さらに、出力制御部２９から出力されるデータ信号は、インターフェース３６を介して変調部３７に送られ、変調部３７は、入力したデータ信号を複数の周波数成分を有する周波数信号に変調する。３８は変調部３７で変調された信号を送信する送信回路、３９はその送信回路３８から出力された信号を増幅する増幅器である。増幅器３９の出力側は、電力線結合部４０を介して電力線４５に接続される。電力線結合部４０は、電力線４５に対してトランス及びコンデンサなどの交流結合素子を接続して構成され、電力線４５に給電される電力と通信に使用される信号を分離して取り出し、または電力線に伝送信号を送出する。さらに、４１は、電力線４５を通して送られた伝送信号を電力線結合部４０から取り出す受信回路、４２は、受信回路４１から出力されたデータ信号を復調する復調部である。
【００２２】
上記変調部３７、送信回路３８、増幅器３９、復調部４２、及び受信回路４１から、電力線信号処理部が構成される。この電力線信号処理部には、伝送データの誤りを検出して訂正する誤り訂正処理部を設けることができ、この場合には伝送データの誤りの訂正を行なう。
【００２３】
さらに、復調部４２から出力された信号はインターフェイス３６を介して復号化処理部３１に入力される。復号化処理部３１では、インターフェイス３６を介して復調部４２から取り込まれたＬＡＮ用のデータを復号化し、クロック信号とデータ信号に分離して出力する。３２は符号化処理部で、復号化処理部３１から送られたクロック信号とデータ信号から光通信用の符号化データを作る。具体的には、復号化処理部３１から送られるデジタル信号の１、０に対応した符号化信号、つまり一つの符号の中間点で電圧反転部を設けるように符号化されたマンチェスタ符号化信号を生成する。３３は投光駆動部であり、符号化処理部３２から送られた符号化信号に基づき投光部３５を駆動する。投光部３５は発光ダイオード等からなり、端末側空間光伝送ユニットＳ１の受光部２１に向けて光信号を放射する。
【００２４】
図１に示すように、例えば下側のフロアの部屋に構築された有線ＬＡＮ１では、端末側空間光伝送ユニットＳ１が例えば机上に設置された台の上に配設され、この有線ＬＡＮ１に接続された複数の情報端末１８を集線接続したＨＵＢ１９に、端末側空間光伝送ユニットＳ１が接続される。一方、その部屋の天井付近には、電力線側空間光伝送ユニットＳ２が、端末側空間光伝送ユニットＳ１側に対向し、且つ両ユニットが相互に投光側と受光側の光軸を一致させて、空間光の伝送が可能な状態に設置される。
【００２５】
同様に、上側のフロアの部屋に構築された有線ＬＡＮ２においても、端末側空間光伝送ユニットＳ１が例えば机上に設置された台の上に配設され、この有線ＬＡＮ２に接続された複数の情報端末１８を集線接続したＨＵＢ１９に、端末側空間光伝送ユニットＳ１は接続され、その部屋の天井付近には、電力線側空間光伝送ユニットＳ２が、端末側空間光伝送ユニットＳ１側に対向し、且つ両ユニットが相互に投光側と受光側の光軸を一致させて、空間光伝送が可能な状態に設置される。
【００２６】
各有線ＬＡＮ１，２における電力線側空間光伝送ユニットＳ２は、上記のように、コンデンサ、トランスなどの交流結合素子からなる電力線結合部４０を介して電力線４５に接続される。電力線は、通常、部屋の天井部或いは壁部に配線されているため、特別な配線工事を行なうことなく電力線側空間光伝送ユニットＳ２と電力線４５の接続を容易に行なうことができる。
【００２７】
また、図では省略されているが、電力線側空間光伝送ユニットＳ２の電源を電力線４５より給電する場合は、その給電用の接続線に電力線結合部４０を接続して、簡単に信号伝送線路と併用することができる。また、電力線４５には、落雷の際に電力線に重畳しやすい雷サージから伝送ユニットや情報端末を保護するために、雷サージを吸収するためのサージカットトランス４３やブロッキングフィルタ４４を接続しておくとよい。
【００２８】
上記のように構成された空間光伝送装置では、例えば階下の有線ＬＡＮ１に接続された情報端末１８が、有線ＬＡＮ１にデータ信号を出力すると、その信号は、ＨＵＢ１９を通して端末側空間光伝送ユニットＳ１のインターフェイス１６に入力され、そこから復号化処理部１１に送られる。そのデータ信号はＬＡＮ用に符号化されたものであり、復号化処理部１１はそのデータ信号を復号化して、クロック信号とデータ信号を分離し、符号化処理部１２に出力する。
【００２９】
符号化処理部１２は復号化処理部１１からのクロック信号とデータ信号をマンチェスタ符号化方式により符号化して、光通信用の符号化データを作り、投光駆動部１３に出力し、投光駆動部１３は入力した符号化データに基づき投光部１５を投光駆動し、投光部１５からデータを重畳させた光信号が電力線側空間光伝送ユニットＳ２に向けて空間光として放射される。
【００３０】
このとき、空間光は電力線側空間光伝送ユニットＳ２の受光部２１に受光され、その受光部２１から出力される受光電流が受光回路２２で電圧信号に変換され、増幅器２３でその信号が増幅され、更に、波形整形回路２４で波形整形された後、信号は復号化処理部２６に送られる。
【００３１】
復号化処理回路２６は、信号を復号化してクロック信号とデータ信号に分離し、それらを符号化処理部２７に送る。符号化処理部２７はクロック信号とデータ信号からＬＡＮ用の符号化データを作り、出力制御部２９に送出する。また、復号化処理部２６、符号化処理部２７の信号処理部では、伝送データの誤りを検出して訂正する誤り訂正処理を行なうことが可能であり、その場合には伝送データの誤りの訂正を行なう。出力制御部２９はその符号化データをインターフェイス３６を介して変調部３７に送り、データ信号は変調部３７で複数の周波数成分を有する信号に変調される。そして、変調されたデータ信号は、送信回路３８、増幅器３９を通して増幅され、電力線結合部４０を介して電力線４５に送出される。
【００３２】
一方、この電力線４５に接続されて別の部屋、例えば階上の部屋に設置された電力線側空間光伝送ユニットＳ２では、この電力線４５に送出されたデータ信号を電力線結合部４０を介して取り込み、受信回路４１を通して信号を復調部４２に送り、復調部４２でそのデータ信号を復調する。また、受信回路４１、復調部４２の電力線信号処理部には、伝送データの誤りを検出して訂正する誤り訂正処理部を設けることができ、その場合には、伝送データの誤りを訂正する。そして、復調された信号はインターフェース３６を介して復号化処理部３１に送られ、復号化処理部３１ではそのデータ信号が復号化処理され、さらに、符号化処理部３２で符号化処理される。符号化処理部３２から出力された信号は、投光駆動部３３で光信号に重畳させ、投光部３５から空間光として有線ＬＡＮ２の端末側空間光伝送ユニットＳ１に向けて投光する。
【００３３】
そして、この空間光は端末側空間光伝送ユニットＳ１の受光部１に受光され、その受光部１から出力される受光電流が受光回路２で電圧信号に変換され、増幅器３でその信号が増幅され、更に、波形整形回路４で波形整形された後、信号は復号化処理部６に送られる。
【００３４】
復号化処理部６は、信号を復号化してクロック信号とデータ信号に分離し、それらを符号化処理部７に送る。符号化処理部７はクロック信号とデータ信号からＬＡＮ用の符号化データを作り出力制御部９に送出する。また、復号化処理部６、符号化処理部７には、伝送データの誤りを検出して訂正する誤り訂正処理部を設けることができ、その場合には、伝送データの誤りを訂正する。そして、データ信号は出力制御部９からインターフェース１６を通して有線ＬＡＮ２のＨＵＢ１９から情報端末１８に送られ、階下の情報端末１８から送られたデータ信号が階上の情報端末１８に伝送され取り込まれる。
【００３５】
なお、本発明の空間光伝送装置は、上記の実施形態に限定されるものではなく、以下のような態様でも実施することができる。
【００３６】
▲１▼上記実施例では、端末側空間光伝送ユニットＳ１と電力線側空間光伝送ユニットＳ２とを１対１で対向させて設置し、このユニット間でのデータ伝送を例にとって説明したが、電力線側空間光伝送ユニットＳ２を親局とし、端末側空間光伝送ユニットＳ１を子局として、親局と複数の子局間でデータ伝送を行う光無線ＬＡＮと電力線通信を併用するシステムにも、本発明を適用することができる。
【００３７】
▲２▼空間光伝送の信号変調方式は、上記のベースバンド方式の他、ＡＳＫ、ＦＳＫ、ＰＳＫなどの変調を行うブロードバンド方式を用いることもできる。
【００３８】
【発明の効果】
以上説明したように、本発明の空間光伝送装置によれば、空間光伝送の光信号が遮断される相違した部屋間或いはフロアの異なる部屋に設置された情報端末、或いはそれらの部屋に構築された複数の有線ＬＡＮ或いは光無線ＬＡＮを、電力線通信を用いて信号の伝送を行なうため、空間光伝送の利点を生かしながら、特別の通信ケーブルの敷設工事をすることなく、既設の電力線を使用して、相違した部屋間などの離れた情報端末間でデータ信号の伝送を簡単に行なうことができる。また、空間光伝送と電力線通信を用いてデータ信号の伝送を行なうため、電波を使用する電波無線ＬＡＮのように、電磁波の干渉が発生せずに、また電波無線の盗聴の問題を生じさせずに、良好な状態で信号の伝送を情報端末間で行なうことができる。
【図面の簡単な説明】
【図１】本発明の一実施形態を示す空間光伝送装置の概略構成図である。
【図２】端末側空間光伝送ユニットＳ１のブロック図である。
【図３】電力線側空間光伝送ユニットＳ２のブロック図である。
【符号の説明】
Ｓ１−端末側空間光伝送ユニット
Ｓ２−電力線側空間光伝送ユニット
１−受光部
２−受光回路
６−復号化処理部
７−符号化処理部
１１−復号化処理部
１２−符号化処理部
１３−投光駆動部
１５−投光部
１８−情報端末
２１−受光部
２２−受光回路
２６、３１−復号化処理部
２７、３２−符号化処理部
３５−投光部
３７−変調部
３８−送信回路
４０−電力線結合部
４１−受信回路
４２−復調部
４５−電力線
【図１】
2004207879.tif 000003
【図２】
2004207879.tif 000004
【図３】
2004207879.tif 000005